(57)【要約】【課題】構成の簡素化によりコスト低減を図ることが可能となる塗装設備用の物品保管装置を提供する。【解決手段】被塗装物に対して塗装処理を行う塗装処理部と、被塗装物を吊り下げ支持する吊り下げ支持体８と、吊り下げ支持体８を収納する物品収納部１の複数を備えた収納棚２と、吊り下げ支持体８を移載する移載装置９を昇降操作自在な昇降体１４に備えた物品搬送装置３とが備えられ、吊り下げ支持体８が、被塗装物Ｃをその下方側に位置させて吊り下げ支持するための吊り下げ支持用本体部８Ａと、その吊り下げ支持用本体部８Ａの横側部又は上部に位置する収納用被支持部及び搬送用被支持部８Ｃとを備えて構成され、物品収納部１が収納用被支持部を受止め支持して吊り下げ支持体８を収納し、移載装置９が搬送用被支持部８Ｃを受止め支持して吊り下げ支持体９を移載する。【選択図】図２
2008230720.tif 000002
【特許請求の範囲】
【請求項１】
被塗装物に対して塗装処理を行う塗装処理部と、前記被塗装物を吊り下げ支持する吊り下げ支持体と、前記吊り下げ支持体を収納する物品収納部の複数を備えた収納棚と、前記吊り下げ支持体を前記塗装処理部と前記物品収納部との間で搬送する物品搬送装置とが備えられ、前記物品搬送装置が、前記吊り下げ支持体を移載する移載装置を昇降操作自在な昇降体に備えて構成されている塗装設備用の物品保管装置であって、
前記吊り下げ支持体が、前記被塗装物をその下方側に位置させて吊り下げ支持するための吊り下げ支持用本体部と、その吊り下げ支持用本体部の横側部又は上部に位置する収納用被支持部及び搬送用被支持部とを備えて構成され、
前記物品収納部が、前記収納用被支持部を受止め支持して前記吊り下げ支持体を収納するように構成され、
前記移載装置が、前記搬送用被支持部を受止め支持して前記吊り下げ支持体を移載するように構成されている塗装設備用の物品保管装置。
【請求項２】
前記移載装置が、前記昇降台の下側に位置する状態で、前記搬送用被支持部を受止め支持する搬送用受止め体を出退自在に備えたフォーク式の移載装置である請求項１記載の塗装設備用の物品保管装置。
【請求項３】
前記吊り下げ支持体における前記収納棚の横幅方向において両側端部に相当する箇所に、前記搬送用被支持部が夫々設けられ、
前記移載装置における前記搬送用受止め体が、前記各搬送用被支持部に対応させて一対備えられている請求項２記載の塗装設備用の物品保管装置。
【請求項４】
前記搬送用受止め体が、出退方向に沿って延びる左右一対の支持枠体を出退方向に沿って間隔をあけて並ぶ複数の横桟にて連結した梯子状に構成され、
前記吊り下げ支持体における前記搬送用被支持部が、前記搬送用受止め体における左右の支持枠体にて各別に受止め支持される左右一対の被受け部を備えて構成されている請求項２又は３記載の塗装設備用の物品保管装置。
【発明の詳細な説明】
【技術分野】
【０００１】
本発明は、被塗装物に対して塗装処理を行う塗装処理部と、前記被塗装物を吊り下げ支持する吊り下げ支持体と、前記吊り下げ支持体を収納する物品収納部の複数を備えた収納棚と、前記吊り下げ支持体を前記塗装処理部と前記物品収納部との間で搬送する物品搬送装置とが備えられ、前記物品搬送装置が、前記吊り下げ支持体を移載する移載装置を昇降操作自在な昇降体に備えて構成されている塗装設備用の物品保管装置に関する。
【背景技術】
【０００２】
かかる塗装設備用の物品保管装置において、従来では、次のように構成されたものがあった。
すなわち、前記物品搬送装置として走行レールに沿って移動自在なスタッカークレーンが備えられ、そのスタッカークレーンの走行経路の左右両側に複数の塗装処理部及び前記収納棚を備えて構成された塗装設備用の物品保管装置において、被塗装物を吊り下げ支持するための吊り下げ支持体として、搬送用のパレットの上部に被塗装物を吊り下げ支持するための支持部材を備えて、この支持部材に被塗装物を吊り下げ支持するように構成したものがあった。そして、スタッカークレーンは、フォーク式の移載装置によってパレットの下面側を受止め支持して移載するように構成され、又、収納棚の物品収納部においても、パレットの下面側を受止め支持して収納する構成となっていた（例えば、特許文献１参照。）。
【０００３】
説明を加えると、前記支持部材は、被塗装物を吊り下げ支持するための横方向に長い支持用本体部分と、その支持用本体部分の両側端部から延設した一対の支柱部分とを備える構成となっており、支持用本体部分とパレットとの間に被塗装物の収納用空間を形成する構成となっている。
【０００４】
【特許文献１】特開平１１―１００５６号公報
【発明の開示】
【発明が解決しようとする課題】
【０００５】
上記従来構成では、前記支持部材における左右一対の支柱部分は、被塗装物を吊り下げ状態で収容するための収納用空間を確保するために長尺状に設ける必要があり、しかも、このような支持部材をパレットに取り付け固定しなければならず、前記吊り下げ支持体の構成が複雑になりコスト高になるものであった。そして、上記したような塗装設備においては、吊り下げ支持体は、多数の被塗装物の塗装処理を能率よく行うために多数備えられるものであるから、設備全体としてコスト高を招く不利な面があった。
【０００６】
本発明の目的は、構成の簡素化によりコスト低減を図ることが可能となる塗装設備用の物品保管装置を提供する点にある。
【課題を解決するための手段】
【０００７】
本発明に係る塗装設備用の物品保管装置は、被塗装物に対して塗装処理を行う塗装処理部と、前記被塗装物を吊り下げ支持する吊り下げ支持体と、前記吊り下げ支持体を収納する物品収納部の複数を備えた収納棚と、前記吊り下げ支持体を前記塗装処理部と前記物品収納部との間で搬送する物品搬送装置とが備えられ、前記物品搬送装置が、前記吊り下げ支持体を移載する移載装置を昇降操作自在な昇降体に備えて構成されているものであって、その第１特徴構成は、前記吊り下げ支持体が、前記被塗装物をその下方側に位置させて吊り下げ支持するための吊り下げ支持用本体部と、その吊り下げ支持用本体部の横側部又は上部に位置する収納用被支持部及び搬送用被支持部とを備えて構成され、前記物品収納部が、前記収納用被支持部を受止め支持して前記吊り下げ支持体を収納するように構成され、前記移載装置が、前記搬送用被支持部を受止め支持して前記吊り下げ支持体を移載するように構成されている点にある。
【０００８】
第１特徴構成によれば、前記吊り下げ支持体が、被塗装物をその下方側に位置させて吊り下げ支持するための吊り下げ支持用本体部と、その吊り下げ支持用本体部の横側部又は上部に位置する収納用被支持部及び搬送用被支持部とを備えて構成される。そして、前記物品収納部では、前記吊り下げ支持用本体部の横側部又は上部に位置する前記収納用被支持部を受止め支持して吊り下げ支持体を収納することになる。又、前記移載装置は、前記吊り下げ支持用本体部の横側部又は上部に位置する前記搬送用被支持部を受止め支持して前記吊り下げ支持体を移載することになる。
【０００９】
前記吊り下げ支持体は、被塗装物をその下方側に位置させて吊り下げ支持するために必要となる吊り下げ支持用本体部に対して、その横側部又は上部に位置する収納用被支持部及び搬送用被支持部とを備える構成であるから、この吊り下げ支持体は、吊り下げ支持用本体部から上下方向に長く延びる部材や被塗装物の下方側で受止め支持するための部材等は不要であり、簡素な構成のものにすることができる。
【００１０】
従って、構成の簡素化によりコスト低減を図ることが可能となる塗装設備用の物品保管装置を提供できるに至った。
【００１１】
本発明の第２特徴構成は、第１特徴構成に加えて、前記移載装置が、前記昇降台の下側に位置する状態で、前記搬送用被支持部を受止め支持する搬送用受止め体を出退自在に備えたフォーク式の移載装置である点にある。
【００１２】
第２特徴構成によれば、前記吊り下げ支持体を搬送するときは、前記搬送用受止め体を吊り下げ支持体における搬送用被支持部を受止め支持可能な位置まで突出させ、昇降体を上昇させて吊り下げ支持体を受止め支持した状態で搬送用受止め体を引退させる。このように吊り下げ支持体を受止め支持して搬送用受止め体を引退させた状態で搬送すべき目標位置まで搬送させることができ、目標位置に吊り下げ支持体を降ろすときは、吊り下げ支持体を受止め支持したまま搬送用受止め体を突出させ、昇降体を下降させて目標位置に降ろしたのちに前記搬送用受止め体を引退させる。
【００１３】
このようなフォーク式の移載装置を備えた物品搬送装置では、上述したように吊り下げ支持体を受止め支持したまま搬送用受止め体を引退させた状態で搬送させるときに、吊り下げ支持体にて吊り下げ支持される被塗装物から未乾燥の塗料等が滴下するおそれがあるが、移載装置が昇降台の下側に位置する状態で設けられているから、被塗装物から滴下する塗料等が昇降台に降りかかることがなく、又、移載装置は、吊り下げ支持用本体部の横側部又は上部に位置する搬送用被支持部を受止め支持しているから、被塗装物から滴下する塗料等が降りかかることがない。
【００１４】
ところで、移載装置を昇降台の上側に位置させる状態で備える構成とする場合であれば、被塗装物を吊り下げ状態で支持するための収納空間をあけて前記吊り下げ支持体を支持するために、例えば、昇降台から上方に向けて一対の支柱を設けて、これら一対の支柱により搬送用受止め体を出退自在に支持するようにしたり、あるいは、昇降台の上部に出退自在に搬送用受止め体を支持して、その搬送用受止め体から上方に向かう状態で一対の支柱状の受止め部を設けて、これらの各支柱状の受止め部の上部にて前記吊り下げ支持体を支持するような構成が考えられるが、このような構成では、移載装置や昇降台に上下方向に長く延びる部材を備える必要があり、構成が複雑化することになる。
【００１５】
しかしながら、第２特徴構成によれば、前記移載装置が、昇降台の下側に位置する状態で、前記搬送用被支持部を受止め支持する搬送用受止め体を出退自在に備えたフォーク式の移載装置であることから、上下方向に長く延びる部材は不要であり、移載装置や昇降台の構成が簡素なものになって、物品搬送装置の構成を簡素化することが可能となるのである。
【００１６】
従って、第２特徴構成によれば、移載装置や昇降台が被塗装物から滴下する塗料等によって汚れることを回避しながら吊り下げ支持体を搬送することが可能なものでありながら、吊り下げ支持体の構成の簡素化に加えて、物品搬送装置の構成の簡素化が可能となり、設備全体の構成の簡素化が可能となる。
【００１７】
本発明の第３特徴構成は、第２特徴構成に加えて、前記吊り下げ支持体における前記収納棚の横幅方向において両側端部に相当する箇所に、前記搬送用被支持部が夫々設けられ、前記移載装置における前記搬送用受止め体が、前記各搬送用被支持部に対応させて一対備えられている点にある。
【００１８】
第３特徴構成によれば、前記吊り下げ支持体における前記収納棚の横幅方向において両側端部に相当する箇所に夫々設けられた搬送用被支持部が、それらに対応させて一対備えられる前記搬送用受止め体にて受止め支持されるので、吊り下げ支持体を収納棚の横幅方向に離間した２箇所において前記一対の搬送用受止め体によって安定した姿勢で受止め支持しながら移載することができる。
【００１９】
従って、第３特徴構成によれば、吊り下げ支持体を一対の搬送用受止め体によって安定した姿勢で受止め支持することにより、移載装置による移載作業中に吊り下げ支持体の姿勢が不安定になるおそれがなく移載作業を良好に行うことが可能となる。
【００２０】
本発明の第４特徴構成は、第２特徴構成又は第３特徴構成に加えて、前記搬送用受止め体が、出退方向に沿って延びる左右一対の支持枠体を出退方向に沿って間隔をあけて並ぶ複数の横桟にて連結した梯子状に構成され、前記吊り下げ支持体における前記搬送用被支持部が、前記搬送用受止め体における左右の支持枠体にて各別に受止め支持される左右一対の被受け部を備えて構成されている点にある。
【００２１】
第４特徴構成によれば、前記搬送用受止め体が、出退方向に沿って延びる左右一対の支持枠体を出退方向に沿って間隔をあけて並ぶ複数の横桟にて連結した梯子状に構成されるから、出退方向と直交する方向に広幅の板状体を用いて構成するものに比べて軽量で且つ丈夫なものにでき、しかも、吊り下げ支持体における搬送用被支持部が前記搬送用受止め体における左右の支持枠体にて各別に受止め支持される左右一対の被受け部を備えて構成されるから、搬送用受止め体における左右一対の支持枠体によって左右一対の被受け部を受止め支持することにより、吊り下げ支持体を安定した状態で受止め支持することができる。
【００２２】
従って、第４特徴構成によれば、軽量で且つ丈夫な搬送用受止め体によって搬送用被支持部を安定した状態で受止め支持することができ、移載装置による移載作業中に吊り下げ支持体の姿勢が不安定になるおそれがなく移載装置による移載作業を良好に行うことが可能となる。
【発明を実施するための最良の形態】
【００２３】
以下、本発明の塗装設備用の物品保管装置の実施の形態を図面に基づいて説明する。
図１に示すように、塗装設備は、塗装工程のうち異なる工程の処理を行う複数種の塗装処理部Ｔが並設される状態で区画配置されて備えられ、それら複数の塗装処理部Ｔの並び方向と同じ方向に並ぶ複数の物品収納部１を備えた収納棚２が備えられ、前記塗装処理部Ｔと前記物品収納部１との間での搬送を行う物品搬送装置としてのスタッカクレーン３を備えて構成されている。
【００２４】
説明を加えると、前記スタッカークレーン３の走行経路１０の左右両側部のうちの一側に位置して走行経路に沿って並ぶ状態で、複数種の塗装処理部Ｔとして、塗料を噴霧しながら塗装する塗装室４、ノズルから溶剤及び皮膜化成処理液を噴霧して被塗装物Ｃの脱脂及び酸化物の形成等を防止するための皮膜化成処理を行う脱脂・被膜処理室５、水洗室６、被塗装物の乾燥を行う乾燥室７等が設けられている。又、脱脂・被膜処理室５の横側に並ぶ状態で前記搬出入用のステーション部ＳＴが設けられている。
【００２５】
前記搬出入用のステーション部ＳＴは、塗装処理するための被塗装物Ｃを後述するような吊り下げ支持体８に吊り下げ支持させる作業、及び、塗装の終了した被塗装物Ｃを吊り下げ支持体８から取り外す作業等が行われる。尚、図示はしないが、搬出入用のステーション部ＳＴの荷台は、後述するような物品収納部１における支持構成と同じように、スタッカークレーン３における移載装置９にて吊り下げ支持体８を移載可能に構成されている。又、この荷台と同様の形状のものが各塗装処理部Ｔにも備えられており、各塗装処理部Ｔにおいても移載装置９にて吊り下げ支持体８を移載可能に構成されている。
【００２６】
前記収納棚２は、前記スタッカークレーン３の走行経路１０の左右両側部のうちの他側に位置させて走行経路１０に沿って並ぶ状態で複数の物品収納部１を備えて構成されている。この収納棚２は、図１、図２及び図４に示すように、前後一対の支柱２ａが走行経路１０の長手方向に間隔を隔てて複数立設され、前後一対の支柱２ａの夫々には、互いに向かい合う位置に収納用受止め体２ｂが上下方向に間隔を隔てて複数配設されている。そして、合計４本の支柱２ａと前記各収納用受止体１ｂとにより一つの物品収納部１が形成され、この物品収納部１が縦横に複数並べて設けられている。具体的には、物品収納部１は、図２に示すように縦方向に２個並べて設けられ、図１に示すように横方向には９個並べて設けられている。
【００２７】
前記走行経路１０には、図１及び図２に示すように、その下方側に走行レール１１が走行経路１０の長手方向、すなわち、収納棚２の横幅方向に沿って設置され、上方側にもガイドレール１２が設置されている。そして、前記スタッカークレーン３は、図３に示すように、走行レール１１に沿って走行自在な走行台車１３と、その走行台車１３に対して昇降自在な昇降台１４とを備えて構成され、昇降台１４に物品収納部１あるいは塗装処理部Ｔとの間で後述するような吊り下げ支持体８を移載可能な移載装置９を設けている。そして、走行台車１３の走行および昇降台１４の昇降により移載装置９が移載作業対象とする目標停止位置に移動可能に構成されている。
【００２８】
前記昇降台１４は、走行台車１３に立設した前後一対の昇降マスト１５にて昇降自在に案内支持されるものであり、図２、図３及び図７に示すように、スタッカークレーン３における走行経路１０の経路長手方向に沿って長く延びる一対の各筒状の昇降枠体１４Ａからなり、これら一対の昇降枠体１４Ａは、その長手方向の両側部において昇降用支持部１６にて一体的に連結され、この昇降用支持部１６に備えられた複数の案内用ローラ１７によって昇降マスト１５に対して昇降自在に案内される状態で支持されている。
【００２９】
そして、図３に示すように、前記昇降台１４は、一対の昇降用チェーン１８をその長手方向に沿って昇降用電動モータ１９によって駆動回転させることによって昇降操作自在に構成されている。つまり、一対の昇降マスト１５の上部を連結する上部フレーム２０に備えられた案内スプロケット２１、及び、昇降マスト１５の下部に設けた案内スプロケット２２にわたり巻き掛けられてその長手方向の両端部が夫々昇降台１４に連結される状態で一対の昇降用チェーン１８が設けられ、昇降用電動モータ１９によってこの昇降用チェーン１８を長手方向に駆動回動させて昇降台１４を昇降操作することができるように構成されている。
【００３０】
前記走行台車１３は、走行レール１１上を走行自在な複数の車輪２３が備え、それら車輪２３ののうちの車体前後方向の一端側の車輪が走行用電動モータ２４にて駆動される推進用の駆動輪２３ａとして構成され、走行台車１３は、走行用電動モータ２４の駆動によって走行レール１１に沿って走行自在に構成されている。
【００３１】
そして、この塗装設備では、被塗装物Ｃを吊り下げ支持する吊り下げ支持体８が備えられ、この吊り下げ支持体８が、被塗装物Ｃをその下方側に位置させて吊り下げ支持するための吊り下げ支持用本体部８Ａと、その吊り下げ支持用本体部８Ａの上部に位置する収納用被支持部８Ｂ及び搬送用被支持部８Ｃとを備えて構成され、前記物品収納部１が、前記収納用被支持部８Ｂを受止め支持して前記吊り下げ支持体８を収納するように構成され、更に、前記移載装置９が、前記搬送用被支持部８Ｃを受止め支持して前記吊り下げ支持体８を移載するように構成されている。
【００３２】
前記移載装置９は、前記昇降台１４の下側に位置する状態で、前記搬送用被支持部８Ｃを受止め支持する搬送用受止め体２５を出退自在に備えたフォーク式の移載装置として構成されており、前記吊り下げ支持体８における収納棚２の横幅方向すなわち走行経路１０の長手方向において両側端部に相当する箇所に前記搬送用被支持部８Ｃが夫々設けられ、前記移載装置９における前記搬送用受止め体２５が、前記各搬送用被支持部８Ｃに対応させて一対備えられている。
【００３３】
前記吊り下げ支持体８の具体的な構成について説明する。
図５に示すように、吊り下げ支持体８は、５本の長尺状の縦桟２６とそれよりも短い５本の横桟２７とを外形形状が長方形になるように格子状に連結するとともに、長尺状の縦桟２６のうちの周縁部に位置するものよりも内側に位置する３本の縦桟２６の下側に、多数の係止用挿通孔２８を形成した吊り下げ用の板体２９を、板面が上下方向に沿う状態で下方に突出する状態で連結して、前記吊り下げ支持用本体部８Ａを構成している。
【００３４】
前記吊り下げ支持用本体部８Ａの長手方向の両側端部の上部側箇所に、短手方向視でＴ字状の形状となり、且つ、吊り下げ支持用本体部８Ａの短手方向の全幅にわたって延びる状態で外側係止具３０が一体的に設けられ、この外側係止具３０よりも設定距離だけ長手方向中央寄りの箇所に、前記移載方向視で逆Ｌ字状の断面形状を有し、且つ、吊り下げ支持用本体部８Ａの短手方向の全幅にわたって延びる状態で内側係止具３１が一体的に設けられている。
【００３５】
説明を加えると、前記外側係止具３０は、吊り下げ支持用本体部８Ａの短手方向の全幅にわたって延びる板状体３０ａと、この板状体と吊り下げ支持用本体部８Ａとを短手方向視でＴ字状になるように連結する３個の連結体３０ｂとで構成されている。又、内側係止具３１も同様にして、吊り下げ支持用本体部８Ａの短手方向の全幅にわたって延びる板状体３１ａと、この板状体と吊り下げ支持用本体部８Ａとを短手方向視で逆Ｌ字状になるように連結する３個の連結体３１ｂとで構成されている。
【００３６】
図３及び図４に示すように、吊り下げ支持用本体部８Ａの長手方向の両側端部の夫々において、前記外側係止具３０における長手方向中央寄りに位置する被受け部３２と内側係止具３１における被受け部３３とにより前記搬送用被支持部８Ｃが構成され、移載装置９に一対設けられた前記搬送用受止め体２５により前記各搬送用被支持部８Ｃを受止め支持して吊り下げ支持体８を移載するように構成されている。つまり、前記吊り下げ支持体８における収納棚２の横幅方向において両側端部に相当する箇所に前記搬送用被支持部８Ｃが夫々設けられる構成となっている。
【００３７】
又、図４に示すように、吊り下げ支持用本体部８Ａの長手方向の両側端部の夫々において、前記外側係止具３０における長手方向外方側に位置する被受け部３４により収納用被支持部８Ｂが構成され、前記物品収納部１において収納棚２の横幅方向の両側部に設けられた左右一対の収納用受止め体２ｂによって吊り下げ支持用本体部８Ａの長手方向の両側端部の夫々に設けられた収納用被支持部８Ｂを受止め支持して、下方側に被塗装物Ｃを吊り下げ支持している状態で吊り下げ支持体８を収納することができるように構成されている。尚、図２に示すように、収納棚２において、上側の物品収納部１の下方側には、被塗装物Ｃから滴下する塗料等を受止めるオイルパン４３と、乾燥処理するための乾燥機４４とが設けられている。
【００３８】
次に、前記移載装置９の構成について説明する。
前記移載装置９は、上記したように前記搬送用被支持部８Ｃを受止め支持する搬送用受止め体２５を出退自在に備えたフォーク式の移載装置９として構成されるものであるが、図１及び図３に示すように、スタッカークレーン３の走行経路１０の長手方向、すなわち、収納棚２の横幅方向の両側部に夫々、前記各搬送用被支持部８Ｃを受止め支持して移載するための一対の移載用作動部９Ａを備えて構成されている。それら一対の移載用作動部９Ａの構成は同じであるから、そのうちの一方について構成を説明する。
【００３９】
すなわち、図６及び図７に示すように、前記移載用作動部９Ａは、前記昇降台１４の下側に固定取付される固定支持部３５、この固定支持部３５に対して設定範囲にわたり出退方向に沿ってスライド操作自在に支持される中継スライド部材３６、及び、この中継スライド部材３６に対して設定範囲にわたり出退方向に沿ってスライド操作自在に支持される搬送用受止め体２５とを備えて構成され、詳述はしないが、後述する移載用電動モータ３７の駆動によって、中継スライド部材３６が固定支持部３５に対して最も外方側にスライドし且つ搬送用受止め体２５が中継スライド部材３６に対して最も外方側にスライドした突出状態と、中継スライド部材３６及び搬送用受止め体２５が共に昇降台１４の下方側にまで引退する引退状態とにわたり切り換え操作自在に構成されている。
【００４０】
図６に示すように、前記搬送用受止め体２５は、出退方向に沿って延びる左右一対の支持枠体３８を出退方向に沿って間隔をあけて並ぶ複数の横桟３９にて連結した梯子状に構成されている。ちなみに、図６は、構成を判り易くするために、前記突出状態において前記移載用作動部９Ａを下方側から見た図を示している。そして、図３及び図４に示すように、搬送用受止め体２５における左右一対の支持枠体３８が前記搬送用被支持部８Ｃにおける左右一対の被受け部３２，３３の夫々を受止め支持する構成となっている。
従って、前記吊り下げ支持体８における前記搬送用被支持部８Ｃが、前記搬送用受止め体２５における左右の支持枠体３８にて各別に受止め支持される左右一対の被受け部３２，３３を備えて構成されている。
【００４１】
又、図６に示すように、前記搬送用受止め体２５は、出退方向と直交する方向に沿う横幅が前記固定支持部３５における横幅よりも大きくなるように幅広に形成され、前記引退位置に切り換わっても前記左右一対の支持枠体３８が固定支持部３５に接当しないように構成され、引退位置に切り換わっても、吊り下げ支持体８を受止め支持した状態で良好に引退位置にまでスライドすることができるように構成されている。
【００４２】
図３及び図７に示すように、前記昇降台１４における一方の昇降枠体１４Ａに固定状態で移載用電動モータ３７が固定支持されており、この移載用電動モータ３７にて駆動される駆動軸４０が、前記一対の移載用作動部９Ａの夫々にわたって延びる状態で設けられ、この駆動軸４０にて前記各移載用作動部９Ａにおいてスライド操作するために設けられた移載用チェーン４１を長手方向に駆動操作するように構成されている。従って、移載用電動モータ３７を駆動することによって、一対の移載用作動部９Ａの夫々に備えられる移載用チェーン４１を長手方向に駆動操作して、一対の移載用作動部９Ａを一体的に前記突出状態と前記引退状態とに切り換えることが可能な構成となっている。
【００４３】
図示はしないが塗装設備の運転を管理する制御部が設けられ、この制御部により、複数設けられた塗装処理部Ｔによってどのように塗装処理を進行させるかを管理するとともに、被塗装物Ｃに応じた塗装処理が行われるようにスタッカークレーン３を制御するように構成されている。すなわち、塗装処理するための被塗装物Ｃを吊り下げ支持体８に吊り下げ支持させた状態で、その吊り下げ支持体８をスタッカークレーン３にて塗装処理部Ｔに搬送して塗装を行い、その後、収納棚２における物品収納部１に一時保管して塗料を乾燥させて、別の塗装工程に搬送したり、搬出入用のステーション部ＳＴに搬送することになる。
【００４４】
吊り下げ支持体８の搬送処理について簡単に説明を加えると、被塗装物Ｃの塗装処理を行う場合には、先ず、搬出入用のステーション部ＳＴにおいて、被塗装物Ｃにおける係止具４２を吊り下げ支持体８における複数の係止用挿通孔２８のうちの適切なものに係止した状態で吊り下げ支持させる。そして、移載用電動モータ３７を駆動してスタッカークレーン３における移載装置９の一対の移載用作動部９Ａを一体的に前記突出状態に切り換えて、吊り下げ支持体８における搬送用被支持部８Ｃを搬送用受止め体２５にて受止め支持しながら昇降台１４を上昇させて、吊り下げ支持体８を吊り下げ支持する。次に、移載用電動モータ３７を駆動して一対の移載用作動部９Ａを一体的に前記引退状態に切り換えて、図３に示すように、吊り下げ支持体８を昇降台１４の下方側に位置させて、塗装処理部Ｔあるいは物品収納部１等の搬送用目標位置に向けてスタッカークレーン３にて搬送して、搬送用目標位置では、一対の移載用作動部９Ａを一体的に前記突出状態に切り換えて、昇降台１４を下降させて吊り下げ支持体８を降ろす。例えば、搬送用目標位置が物品収納部１であれば、図２及び図４に示すように、吊り下げ支持体８における収納用被支持部８Ｂを物品収納部１における収納用受止め体２ａに受止め支持させることになる。
【００４５】
〔別実施形態〕
以下、別実施形態を列記する。
【００４６】
（１）上記実施形態では、前記搬送用受止め体２５が、出退方向に沿って延びる左右一対の支持枠体３８を出退方向に沿って間隔をあけて並ぶ複数の横桟３９にて連結した梯子状に構成され、前記吊り下げ支持体８における前記搬送用被支持部８Ｃが、前記搬送用受止め体２５における左右の支持枠体にて各別に受止め支持される左右一対の被受け部を備えて構成されるものを示したが、このような構成に代えて、搬送用受止め体２５が出退方向に片持ち状に延びる支持枠体だけを備える構成としてもよく、前記搬送用被支持部８Ｃが１つの被受け部にて形成されるものでもよい。
【００４７】
（２）上記実施形態では、前記吊り下げ支持体８における前記収納棚２の横幅方向において両側端部に相当する箇所に前記搬送用被支持部８Ｃが夫々設けられ、前記移載装置９における前記搬送用受止め体２５が前記各搬送用被支持部８Ｃに対応させて一対備えられる構成としたが、このような構成に代えて、前記吊り下げ支持体８において前記搬送用被支持部８Ｃを１つだけ備える構成としてもよく、それに対応させて前記移載装置９における前記搬送用受止め体２５を１つだけ備える構成としてもよい。
【００４８】
（３）上記実施形態では、前記移載装置９が、前記昇降台１４の下側に位置する状態で、前記搬送用被支持部８Ｃを受止め支持する搬送用受止め体２５を出退自在に備えたフォーク式の移載装置９であるものを示したが、このような構成に代えて、移載装置９として、ローラコンベヤやベルトコンベヤ等のコンベア装置を備えて、これらのコンベヤ装置にて前記吊り下げ支持体８を載置搬送することで移載させる構成としてもよい。
【００４９】
（４）上記実施形態では、前記収納用被支持部８Ｂ及び前記搬送用被支持部８Ｃを吊り下げ支持用本体部８Ａの上部に位置する状態で備える構成としたが、前記収納用被支持部８Ｂ及び前記搬送用被支持部８Ｃを前記吊り下げ支持用本体部８Ａの横側部に位置する状態で備える構成としたり、前記収納用被支持部８Ｂを前記吊り下げ支持用本体部８Ａの横側部に位置する状態で備え、且つ、前記搬送用被支持部８Ｃを前記吊り下げ支持用本体部８Ａの上部に位置する状態で備える構成としてもよく、種々の形態で実施することができる。
【００５０】
（５）上記実施形態では、塗装工程のうち異なる工程の処理を行う複数種の塗装処理部Ｔを備える構成としたが、同一種類の塗装処理部Ｔを複数備える構成としたり、１つの塗装処理部Ｔを備える構成としてもよい。
【図面の簡単な説明】
【００５１】
【図１】塗装設備の平面図
【図２】塗装設備の正面図
【図３】スタッカークレーンの側面図
【図４】物品収納部の側面図
【図５】吊り下げ支持体の斜視図
【図６】移載用作動部の構成を示す底面図
【図７】移載用作動部の縦断側面図
【符号の説明】
【００５２】
１          物品収納部
２          収納棚
３          物品搬送装置
８          吊り下げ支持体
８Ａ        吊り下げ支持用本体部
８Ｂ        収納用被支持部
８Ｃ        搬送用被支持部
９          移載装置
２５        搬送用受止め体
３２，３３  被受け部
３８        支持枠体
Ｔ          塗装処理部
【図１】
2008230720.tif 000003
【図２】
2008230720.tif 000004
【図３】
2008230720.tif 000005
【図４】
2008230720.tif 000006
【図５】
2008230720.tif 000007
【図６】
2008230720.tif 000008
【図７】
2008230720.tif 000009